(57)【特許請求の範囲】
【請求項１】
各々が識別データを記憶している錠前と記録媒体を備え、
前記錠前は使用が開始されたときに、記憶している識別データを管理装置に送信し、
前記記録媒体は前記管理装置による、解錠の許可を示す許可データの書き込みを受け付け、
前記錠前は、記憶している識別データと前記記録媒体から読み取った識別データが対をなし、かつ、前記記録媒体から前記許可データを読み取った場合に解錠する
貸し出し用の錠前システム。
【請求項２】
前記管理装置を備え、
前記管理装置は、前記錠前から識別データを受信し、前記記録媒体から識別データを読み取り、前記錠前からの識別データの受信の時刻と前記記録媒体からの識別データの読み取りの時刻とに基づき前記錠前の貸し出し料金を特定し、前記貸し出し料金が支払われた場合に前記許可データを前記記録媒体に書き込む
請求項１に記載の貸し出し用の錠前システム。
【請求項３】
各々が識別データを記憶している錠前と記録媒体を備え、
前記錠前は使用が開始されたときに、記憶している識別データを管理装置に送信し、
前記錠前は、記憶している識別データと前記記録媒体から読み取った識別データが対をなし、かつ、前記管理装置から解錠の許可を示す許可データを受信した場合に解錠する
貸し出し用の錠前システム。
【請求項４】
前記管理装置を備え、
前記管理装置は、前記錠前から識別データを受信し、前記記録媒体から識別データを読み取り、前記錠前からの識別データの受信の時刻と前記記録媒体からの識別データの読み取りの時刻とに基づき前記錠前の貸し出し料金を特定し、前記貸し出し料金が支払われた場合に前記許可データを前記錠前に送信する
請求項３に記載の貸し出し用の錠前システム。
【請求項５】
前記管理装置は、前記錠前との間の通信接続が切断されたときユーザに対する通知を行う
請求項１乃至４のいずれか１項に記載の貸し出し用の錠前システム。
【発明の詳細な説明】
【技術分野】
【０００１】
本発明は、錠前により物を管理する技術に関する。
【背景技術】
【０００２】
電子錠により自転車に施錠を行う駐輪場の仕組みがある。現在、広く利用されている駐輪場には、自転車の前輪等を載せ置く電子錠付きのラックが複数、設置されている。駐輪場の利用者が自転車の前輪等をラックに乗せると、例えば１０分等の所定時間の経過後に、電子錠による施錠が行われる。複数のラックに取り付けられている電子錠の各々は精算機と有線または無線により通信接続されている。利用者が駐輪場に戻り、自分の自転車に施錠を行っている電子錠の番号等を精算機に入力し、精算機に対し駐輪時間等に応じた料金の精算のための操作を完了すると、利用者の自転車に対する施錠が解除される。
【０００３】
上記の例においては、自転車に対する施錠が行われていた期間に応じて課金が行われる。すなわち、電子錠付きのラックと精算機が、駐輪場のスペース（物の保管場所）を賃貸しするための仕組みとして利用されている。一方、自転車に対する施錠が行われていない期間に応じて課金を行うことにより、自転車を貸し出す仕組みもある。例えば、特許文献１には、ＩＣカードリーダ付き錠前を用いて自転車を貸し出す仕組みが記載されている。特許文献１に記載の仕組みにおいては、レンタル用の自転車に取り付けられた施錠されているＩＣカードリーダ付き錠前に、自転車の利用者がＩＣカードを読み取らせる。ＩＣカードリーダ付き錠前は、ＩＣカードから正当な利用者の利用者ＩＤを読み出した場合、解錠される。その結果、利用者はレンタル用の自転車を利用することができる。
【先行技術文献】
【特許文献】
【０００４】
【特許文献１】特開２００５−１７９９９７号公報
【発明の概要】
【発明が解決しようとする課題】
【０００５】
電子錠付きラックを用いて駐輪場のスペースを利用者に貸し出す上述した従来の仕組みにおいては、電子錠付きラックを駐輪スペースに設置するために多大なコストがかかる。従って、例えば臨時の催事場等に電子錠付きラックを設定することは現実的ではない。
【０００６】
また、設置されている電子錠付きラックを撤去する場合も多大なコストがかかる。従って、例えば新しい電子錠付きラックとの交換時や、駐輪場の移転時もしくは廃止時に、多大なコストを要する。
【０００７】
なお、電子錠による施錠の対象物（以下、本願において「被施錠物」という）が自転車以外の物である場合も、電子錠を保管スペースに固定配置する限り、電子錠付きラックを用いて駐輪スペースを貸し出す場合と同様の問題がある。
【０００８】
上記の事情に鑑み、本発明は、被施錠物の保管スペースを貸し出す仕組みの導入および廃止に要するコストを低減することを目的とする。
【課題を解決するための手段】
【０００９】
上述した課題を解決するために、本発明は、各々が識別データを記憶している錠前と記録媒体を備え、前記錠前は使用が開始されたときに、記憶している識別データを管理装置に送信し、前記記録媒体は前記管理装置による、解錠の許可を示す許可データの書き込みを受け付け、前記錠前は、記憶している識別データと前記記録媒体から読み取った識別データが対をなし、かつ、前記記録媒体から前記許可データを読み取った場合に解錠する貸し出し用の錠前システムを第１の態様として提案する。
【００１０】
第１の態様の錠前システムによれば、電子錠付きラックのような設備の設置や撤去を要さずに、低コストで被施錠物の保管スペースを貸し出す仕組みの導入および廃止が可能となる。
【００１１】
第１の態様の錠前システムにおいて、前記管理装置を備え、前記管理装置は、前記錠前から識別データを受信し、前記記録媒体から識別データを読み取り、前記錠前からの識別データの受信の時刻と前記記録媒体からの識別データの読み取りの時刻とに基づき前記錠前の貸し出し料金を特定し、前記貸し出し料金が支払われた場合に前記許可データを前記記録媒体に書き込む、という構成が第２の態様として採用されてもよい。
【００１２】
第２の態様の錠前システムによれば、ユーザは識別データの記録された記録媒体のデータを錠前に読み取らせることで、錠前を解錠させることができる。
【００１３】
また、本発明は、各々が識別データを記憶している錠前と記録媒体を備え、前記錠前は使用が開始されたときに、記憶している識別データを管理装置に送信し、前記錠前は、記憶している識別データと前記記録媒体から読み取った識別データが対をなし、かつ、前記管理装置から解錠の許可を示す許可データを受信した場合に解錠する貸し出し用の錠前システムを第３の態様として提案する。
【００１４】
第３の態様の錠前システムによれば、電子錠付きラックのような設備の設置や撤去を要さずに、低コストで被施錠物の保管スペースを貸し出す仕組みの導入および廃止が可能となる。
【００１５】
第３の態様の錠前システムにおいて、前記管理装置を備え、前記管理装置は、前記錠前から識別データを受信し、前記記録媒体から識別データを読み取り、前記錠前からの識別データの受信の時刻と前記記録媒体からの識別データの読み取りの時刻とに基づき前記錠前の貸し出し料金を特定し、前記貸し出し料金が支払われた場合に前記許可データを前記錠前に送信する、という構成が第４の態様として採用されてもよい。
【００１６】
第４の態様の錠前システムによれば、ユーザは識別データの記録された記録媒体のデータを錠前に読み取らせることで、錠前を解錠させることができる。
【００１７】
第１乃至第４のいずれかの態様の錠前システムにおいて、前記管理装置は、前記錠前との間の通信接続が切断されたときユーザに対する通知を行う、という構成が第５の態様として採用されてもよい。
【００１８】
第５の態様の錠前システムによれば、管理装置のユーザは、錠前が無線通信圏外に持ち出されたことを知ることができる。
【図面の簡単な説明】
【００３５】
【図１】一実施形態にかかる錠前システムの全体構成を説明するための図。
【図２】一実施形態にかかる保管庫に錠前と鍵が収容されている様子を示した図。
【図３】一実施形態にかかる鍵に記録されるデータ構成を示した図。
【図４】一実施形態にかかる錠前の構成を示した図。
【図５】一実施形態にかかる錠前に記憶されるデータ構成を示した図。
【図６】一実施形態にかかる端末装置の実現に用いられるコンピュータの基本構成を示した図である。
【図７】一実施形態にかかる端末装置の機能構成を示した図。
【図８】一実施形態にかかる端末装置に記憶される錠前データベースのデータ構成を示した図。
【図９Ａ】一実施形態にかかる端末装置に表示される画面を例示した図。
【図９Ｂ】一実施形態にかかる端末装置に表示される画面を例示した図。
【図９Ｃ】一実施形態にかかる端末装置に表示される画面を例示した図。
【図１０】一実施形態にかかる錠前システムが、保管庫から錠前が取り出された際に行う処理のシーケンスを示した図。
【図１１Ａ】一実施形態にかかる錠前システムが、錠前に鍵がタッチされた際に行う処理のシーケンスを示した図。
【図１１Ｂ】一実施形態にかかる錠前システムが、錠前に鍵がタッチされた際に行う処理のシーケンスを示した図。
【図１２】一実施形態にかかる錠前システムが、料金精算前に端末装置に鍵がタッチされた際に行う処理のシーケンスを示した図。
【図１３】一実施形態にかかる錠前システムが、料金精算後に端末装置に鍵がタッチされた際に行う処理のシーケンスを示した図。
【発明を実施するための形態】
【００３６】
［実施形態］
以下に本発明の一実施形態にかかる錠前システム１を説明する。錠前システム１は錠前を貸し出すことにより、錠前によって施錠された被施錠物を保管するスペースを貸し出すためのシステムである。以下の説明において被施錠物は自転車であるものとするが、被施錠物は自転車に限られず、例えば自動二輪車、三輪車、ベビーカー等が被施錠物となってもよい。また、以下の説明において例示する錠前のサイズや形状は自転車に適したサイズや形状であるものとするが、例えば貸し出し用のスペースが自動車の駐車に適しているならば、施錠のサイズや形状が自動車の車輪やミラー等に対する施錠に適したサイズや形状であってもよい。
【００３７】
図１は錠前システム１の全体構成を説明するための図である。図１は、錠前システム１が店舗７に隣接されるスペース８を貸し出すために用いられる例を示している。錠前システム１は、例えばスペース８に近接した位置に配置された保管庫１１（保管装置の一例）と、例えば店舗７内のキャッシュレジスター９の近くに配置された端末装置１２（管理装置の一例）を備える。
【００３８】
保管庫１１は、例えば複数の引き出しを備え、引き出しの各々に例えば１つずつ、錠前１３を収容することができる。錠前１３は、錠前１３と対をなす鍵１４（記録媒体の一例）が差し込まれるスロットが設けられており、保管庫１１には鍵１４が差し込まれた状態の錠前１３が収容される。錠前システム１は通常、複数対の錠前１３と鍵１４を備えるが、それらの対の数はスペース８のサイズ等に応じて適宜決定される。
【００３９】
図２は引き出された状態の保管庫１１の引き出しに１対の錠前１３と鍵１４が収容されている様子を示した図である。保管庫１１の引き出しの中には、例えば破線等により、錠前１３が配置されるべき位置が示されている。保管庫１１の引き出しには施錠はされておらず、錠前１３の利用者は自由に引き出しを引き出して、錠前１３と鍵１４を引き出しから取り出したり、錠前１３と鍵１４を引き出しに戻したりすることができる。例えば、保管庫１１の引き出し、錠前１３、鍵１４の各々には錠前番号が表示されている。錠前１３の利用者は錠前１３と鍵１４を保管庫１１に戻すとき、錠前番号が一致する引き出しに錠前１３と鍵１４を戻す。
【００４０】
保管庫１１は引き出しに収容された錠前１３に対し電力供給を行う電力供給ユニット（充電手段の一例）を備えている。保管庫１１が備える電力供給ユニットは、例えば非接触電力伝送により錠前１３に内蔵されるバッテリに対し電力を供給する。ただし、保管庫１１が錠前１３に電力を供給する方法は非接触電力伝送に限られず、錠前１３に対しケーブル接続による電力供給が行われてもよい。
【００４１】
鍵１４は錠前１３の施錠および解錠のために用いられる。鍵１４は、いわゆるＮＦＣ（Near Field Communication）タグと呼ばれる記録媒体である。鍵１４は、近距離無線通信により外部の装置との間でデータを送受信するとともに、データを保持する機能を有したデバイスである。なお、鍵１４が近距離無線通信に用いる通信規格は、利用者により鍵１４が近接された（以下、「タッチされた」と記載する）錠前１３以外の装置が当該鍵１４と誤ってデータ通信を行わない程度に近距離でしかデータ通信を行わない通信規格であれば、ＮＦＣに限られない。
【００４２】
鍵１４は既知のＮＦＣタグであるため、鍵１４のハードウェア構成の説明を省略する。鍵１４には、対となる錠前１３の識別データである錠前ＩＤ（Identifier）等が記録されている。図３は鍵１４に記録されるデータ構成を示した図である。鍵１４には錠前ＩＤに加え、パスコード、精算時刻が記録される。
【００４３】
パスコードは錠前１３と鍵１４の対の関係を示すデータである。従って、パスコードは鍵１４の紛失等に際し変更される。すなわち、錠前１３に対し新たな鍵１４が用いられる場合、錠前１３に記憶されるパスコードが、新たな鍵１４に記録されているパスコードで書き換えられる。その結果、仮に紛失していた古い鍵１４が錠前１３にタッチされても、錠前１３が古い鍵１４により施錠または解錠されることはない。
【００４４】
錠前１３は電子錠と、鍵１４に対するデータの読み書きを行うリーダライタと、端末装置１２との間で無線通信を行う無線通信ユニットを内蔵する。図４は錠前１３の構成を示した図である。以下に錠前１３が備える構成部を説明する。
【００４５】
電子錠１３１（後述のバッテリ１３２、制御ユニット１３７とともに施錠手段、解錠手段の一例を構成）は錠前１３が備えるＵ字バー等の施錠部材と係止して当該部材を固定する部材である錠１３１１と、錠１３１１の一部を移動させて錠１３１１と施錠部材を係止させ、また当該係止を解除するソレノイド１３１２を備える。
【００４６】
バッテリ１３２は電力を蓄電し、蓄電している電力をソレノイド１３１２や錠前１３のその他の電力を要する構成部に供給する。充電器１３３は保管庫１１が備える電力供給ユニットから非接触伝送される電力を受けバッテリ１３２に電力を供給し、バッテリ１３２に蓄電を行わせる。また、充電器１３３は電力供給ユニットからの電力供給の有無に基づき充電の開始および停止を検知する。
【００４７】
リーダライタ１３４（読取手段、書込手段の一例）は鍵１４に対するデータの読み書きを行う。無線通信ユニット１３５（受信手段、送信手段の一例）は端末装置１２との間で無線によるデータ通信を行う。無線通信ユニット１３５によるデータ通信は、例えばＺｉｇＢｅｅ（「ＺｉｇＢｅｅ」は日本におけるZIGBEE ALLIANCEの登録商標）に従い行われる。なお、無線通信ユニット１３５がデータ通信に用いる通信規格はＺｉｇＢｅｅに限られず、例えばＷｉＦｉ（「ＷｉＦｉ」は日本におけるワイ―ファイ・アライアンスの登録商標）等の他の通信規格が用いられてもよい。
【００４８】
通知ユニット１３６はＬＥＤ１３６１とスピーカ１３６２を備える。ＬＥＤ１３６１は発光ダイオードであり、例えば錠前１３が課金中である間に赤色に発光し、錠前１３が課金中でない間に青色に発光する。なお、本実施形態において説明するＬＥＤ１３６１の発光色や発光態様（点灯、点滅等）は一例であって、他の発光色や発光態様が採用されてもよい。また、ＬＥＤ１３６１に代えて、発光ダイオードではない他の方式の発光素子が用いられてもよい。
【００４９】
スピーカ１３６２は、例えば錠前１３が保管庫１１から取り出された後に施錠が行われずに所定時間（例えば１０分間）が経過した際や、錠前１３の使用料金の精算が完了した後に解錠が行われずに所定時間（例えば１０分間）が経過した際等にアラート音を発音し、錠前１３の利用者に施錠や解錠を促す。
【００５０】
制御ユニット１３７は、例えばＡＳＩＣ（Application Specific Integrated Circuit）を備え、錠前１３が備える他の構成部を制御する。なお、制御ユニット１３７が備える集積回路はＡＳＩＣに限られず、例えば汎用のプロセッサ等であってもよい。制御ユニット１３７が汎用のプロセッサを備える場合、プロセッサがプログラムに従った処理を実行することにより、錠前１３の構成部の制御が行われる。
【００５１】
計時ユニット１３８（計時手段の一例）は現在時刻の計時を行う。計時ユニット１３８は無線通信ユニット１３５が端末装置１２から受信する時刻データに従い計時に用いる基準時刻を補正する。従って、計時ユニット１３８は端末装置１２が計時する現在時刻と実質的に同一の現在時刻を計時する。
【００５２】
メモリ１３９は錠前ＩＤ等のデータを記憶する。図５はメモリ１３９に記憶されるデータ構成を示した図である。メモリ１３９には錠前ＩＤに加え、パスコード、持ち出し時刻が記憶される。
【００５３】
端末装置１２は汎用のコンピュータがプログラムに従ったデータ処理を行うことにより実現される。ただし、端末装置１２がいわゆる専用装置として構成されてもよい。
【００５４】
端末装置１２の実現に用いられるコンピュータの種別は、例えばラップトップ型コンピュータ、ノート型コンピュータ、タブレット型コンピュータ等のいずれであってもよい。また、コンピュータがディスプレイ等の周辺装置を内蔵していてもよいし、外部の装置として構成される周辺装置がコンピュータに接続されていてもよい。以下、例として、端末装置１２の実現に用いられるコンピュータは、ＮＦＣタグに対するデータのリーダライタと、ＺｉｇＢｅｅに従い無線によるデータ通信を行う無線通信ＩＦ（Interface）とを内蔵したタブレット型コンピュータであるものとする。
【００５５】
図６は端末装置１２の実現に用いられるコンピュータ１０の基本構成を示した図である。コンピュータ１０は、各種データを記憶するメモリ１０１と、メモリ１０１に記憶されているプログラムに従ったデータ処理を行うプロセッサ１０２と、ディスプレイとタッチパネルが積層されて一体に構成されたタッチディスプレイ１０３と、無線により外部の装置とデータ通信を行う無線通信ＩＦ１０４と、ＮＦＣタグに対するデータの読み書きを行うリーダライタ１０５を備える。
【００５６】
図７は端末装置１２の機能構成を示した図である。すなわち、コンピュータ１０のプロセッサ１０２がプログラムに従った処理を実行することにより、図７に示される機能構成部を備える装置が実現される。以下に端末装置１２の機能構成部を説明する。
【００５７】
受信手段１２１は錠前１３からデータを受信する。読取手段１２２は鍵１４からデータを読み取る。計時手段１２３は現在時刻を計時する。
【００５８】
料金特定手段１２４は受信手段１２１が錠前１３から受信したデータと読取手段１２２が鍵１４から読み出したデータに基づき錠前１３の貸し出し期間を特定し、例えば貸し出し期間の長さに基づき錠前１３の貸し出し料金を特定する。なお、料金特定手段１２４が貸し出し料金を特定する方法は、例えば予め定められた算出式に従い算出する方法が採用されてもよいし、記憶手段１２８に記憶された貸し出し期間と貸し出し料金の対応表を参照して特定する方法が採用されてもよい。
【００５９】
表示手段１２５は店舗７の店員および錠前１３の利用者に対し錠前１３の貸し出し料金等の各種情報を表示する。送信手段１２６は錠前１３にデータを送信する。書込手段１２７は鍵１４にデータを書き込む。
【００６０】
記憶手段１２８は錠前システム１において利用される複数の錠前１３の各々を管理するための錠前データベースを記憶する。図８は錠前データベースのデータ構成を示した図である。錠前データベースは各々の錠前１３に応じたデータレコードの集まりである。錠前データベースのデータレコードは、データフィールドとして［錠前ＩＤ］、［パスコード］、［持ち出し時刻］を備える。
【００６１】
続いて、錠前システム１の利用の流れを説明する。錠前１３の利用者（以下、「利用者Ａ」とする）は、まず自転車をスペース８に駐輪する。続いて、利用者Ａは保管庫１１からいずれかの錠前１３を取り出す。錠前１３のスロットには錠前１３と対をなす鍵１４が差し込まれている。なお、この時点で錠前１３は解錠されている。また、この時点で錠前１３のＬＥＤ１３６１は課金が発生していないことを示す青色に点灯している。
【００６２】
続いて、利用者Ａは錠前１３を自転車の車輪等に取り付けた後、鍵１４を錠前１３から抜き出し、錠前１３の所定位置（図２に示される「タッチ」部分）にタッチする。このタッチ操作により、錠前１３が施錠される。
【００６３】
利用者Ａは錠前１３を保管庫１１から取り出した後、猶予期間である１０分は課金されない。この猶予期間中、利用者Ａは鍵１４を錠前１３にタッチして施錠した後、再度、鍵１４を錠前１３にタッチすることにより、錠前１３を解錠することができる。すなわち、錠前１３が保管庫１１から取り出された後の猶予期間中は、利用者Ａは自由に錠前１３の施錠と解錠を繰り返すことができる。
【００６４】
また、利用者Ａが錠前１３を保管庫１１から取り出した後、猶予期間である１０分が経過した場合、錠前１３はＬＥＤ１３６１の点灯色を赤色に変更するとともに、スピーカ１３６２からアラート音を発して課金の発生を利用者Ａに通知し、錠前１３の施錠を促す。なお、アラート音の発音は錠前１３の施錠に伴い停止される。
【００６５】
利用者Ａは錠前１３を施錠した後、鍵１４を携帯してスペース８から立ち去る。その後、利用者Ａは自転車に乗ってスペース８から立ち去りたい場合、店舗７のレジ台で店員（以下、「店員Ｂ」とする）に錠前１３の貸し出し料金の精算をしたい旨を伝える。店員Ｂは利用者Ａに対し、端末装置１２のタッチディスプレイ１０３の所定位置（リーダライタ１０５の配置されている位置）に鍵１４をタッチするように促す。
【００６６】
図９Ａ、図９Ｂおよび図９Ｃは、端末装置１２に表示される画面（以下、「精算画面」という）を例示した図である。図９Ａは鍵１４がタッチされる前の精算画面を示し、図９Ｂは鍵１４がタッチされた後、錠前１３の貸し出し料金が支払われる前の精算画面を示し、図９Ｃは錠前１３の貸し出し料金が支払われた後の精算画面を示す。鍵１４がタッチされる前の精算画面には、「タッチ」という表示と、各々空欄の利用開始時刻欄、利用終了時刻欄、利用料金欄が表示される（図９Ａ）。
【００６７】
利用者Ａが精算画面の「タッチ」の表示部分に鍵１４をタッチすると、利用開始時刻欄には、錠前１３が保管庫１１から持ち出された時刻（持ち出し時刻）が表示される。また、利用終了時刻欄には、鍵１４がタッチディスプレイ１０３にタッチされた時刻が表示される。また、利用料金欄には、利用開始時刻欄に表示される時刻から利用終了時刻欄に表示される時刻までの期間の時間長に応じた錠前１３の貸し出し料金が表示される。また、利用料金欄の下には、利用料金欄に表示される貸し出し料金を示すバーコードが表示される（図９Ｂ）。
【００６８】
利用者Ａは精算画面の表示内容を確認した後、問題がなければ、利用料金欄に表示される鍵１４の貸し出し料金を店員Ｂに支払う。店員Ｂはキャッシュレジスター９のバーコードリーダで精算画面に表示されるバーコードを読み取り、キャッシュレジスター９を用いて利用者Ａから支払われる料金の精算処理を行う。なお、貸し出し料金の支払いは現金の他、キャッシュレジスター９が受け付け可能なクレジットカード、プリペイドカード等の他の決算手段により行われてもよい。
【００６９】
錠前１３の貸し出し料金の精算が完了すると、店員Ｂは例えば精算画面の所定位置をタッチする。この操作に応じて、タッチディスプレイ１０３には図９Ｃに示す精算画面が表示される。利用者Ａは鍵１４を再度、精算画面の「タッチ」の表示部分にタッチする。このタッチ操作により、鍵１４にその時点の時刻が精算時刻（錠前１３の解錠を許可する許可データの一例）として書き込まれる。
【００７０】
貸し出し料金の精算を完了した利用者Ａはスペース８に移動し、自転車に取り付けられている錠前１３のスロットに鍵１４を差し込む。この差し込み操作に応じて錠前１３が解錠される。解錠に伴い、錠前１３のＬＥＤ１３６１の点灯色は赤色から青色に変わる。利用者Ａは解錠された錠前１３を自転車から取り外し、保管庫１１に戻す。その後、利用者Ａは自転車に乗ってスペース８から立ち去ることができる。
【００７１】
利用者Ａは貸し出し料金の精算を完了した後、猶予期間である１０分の間に錠前１３の解錠を行う必要がある。錠前１３が解錠されずに猶予期間の１０分が経過した場合、ユーザが鍵１４を錠前１３にタッチしても錠前１３は解錠しない。その場合、利用者Ａは再度、店舗７にて追加の貸し出し料金の精算を行う必要がある。
【００７２】
続いて、錠前システム１の動作を説明する。図１０は利用者Ａが錠前１３を保管庫１１から取り出した際に錠前システム１が行う処理のシーケンスを示した図である。錠前１３が保管庫１１に収容されているとき、鍵１４には精算時刻は記録されていない（図３参照）。また、錠前１３には持ち出し時刻は記憶されていない（図５参照）。また、端末装置１２に記憶されている錠前データベース（図８）のデータレコードのうち、保管庫１１に収容されている錠前１３に応じたデータレコードの［持ち出し時刻］には空データが格納されている。
【００７３】
利用者Ａが錠前１３を保管庫１１から取り出すと、錠前１３は充電停止を検出する（ステップＳ１０１）。続いて、錠前１３は現在時刻を持ち出し時刻として記憶する（ステップＳ１０２）。また、錠前１３は持ち出し通知を端末装置１２に送信する（ステップＳ１０３）。持ち出し通知には錠前ＩＤと持ち出し時刻が含まれている。
【００７４】
端末装置１２は持ち出し通知を受信すると、持ち出し通知に含まれる錠前ＩＤに応じた錠前データベースのデータレコードの［持ち出し時刻］に、持ち出し通知に含まれる持ち出し時刻を格納する。また、端末装置１２は［錠前ステイタス］に「未施錠（１０分以内）」を格納する（ステップＳ１０４）。
【００７５】
錠前１３および端末装置１２は各々、持ち出し時刻から１０分が経過したか否かを継続的に判定する（ステップＳ１０５、Ｓ１０６）。錠前１３は、持ち出し時刻から１０分が経過した場合（ステップＳ１０５；Ｙｅｓ）、ＬＥＤ１３６１の点灯色を青色から赤色に変更する（ステップＳ１０７）。また、錠前１３はアラート音の発音を開始する（ステップＳ１０８）。
【００７６】
端末装置１２は、持ち出し時刻から１０分が経過した場合（ステップＳ１０５；Ｙｅｓ）、［錠前ステイタス］を「未施錠（１０分超過）」に更新する（ステップＳ１０９）。
【００７７】
図１１Ａおよび図１１Ｂは利用者Ａが鍵１４を錠前１３にタッチした際に錠前システム１が行う処理のシーケンスを示した図である。錠前１３は、鍵１４がタッチされたことを検出すると（ステップＳ２０１）、鍵１４からデータを読み取る（ステップＳ２０２）。錠前１３は鍵１４から読み取ったデータに含まれるパスコードが、錠前１３が記憶しているパスコードと一致するか否かを判定する（ステップＳ２０３）。パスコードが一致しない場合（ステップＳ２０３；Ｎｏ）、錠前１３は処理を終了する。
【００７８】
パスコードが一致する場合（ステップＳ２０３；Ｙｅｓ）、錠前１３はアラート音を発音中であるか否かを判定する（ステップＳ２０４）。アラート音を発音中である場合（ステップＳ２０４；Ｙｅｓ）、錠前１３はアラート音の発音を停止する（ステップＳ２０５）。
【００７９】
続いて、錠前１３は解錠中であるか施錠中であるかを判定する（ステップＳ２０６）。解錠中である場合（ステップＳ２０６；１）、錠前１３は施錠を行う（ステップＳ２０７）。施錠中である場合（ステップＳ２０６；２）、錠前１３は持ち出し時刻から１０分が経過しているか否かを判定する（ステップＳ２０８）。持ち出し時刻から１０分が経過していない場合（ステップＳ２０８；Ｎｏ）、錠前１３は解錠を行う（ステップＳ２０９）。
【００８０】
持ち出し時刻から１０分が経過している場合（ステップＳ２０８；Ｙｅｓ）、錠前１３はステップＳ２０２において鍵１４から読み取ったデータに精算時刻が含まれるか否かを判定する（ステップＳ２１０）。鍵１４から読み取ったデータに精算時刻が含まれていない場合（ステップＳ２１０；Ｎｏ）、錠前１３は処理を終了する。なお、鍵１４から読み取ったデータに精算時刻が含まれていない場合とは、錠前１３の貸し出し料金の精算が未完了である場合である。この場合、利用者Ａが鍵１４を錠前１３にタッチしても錠前１３は解錠されない。
【００８１】
鍵１４から読み取ったデータに精算時刻が含まれている場合（ステップＳ２１０；Ｙｅｓ）、錠前１３は続いて精算時刻から１０分が経過しているか否かを判定する（ステップＳ２１１）。精算時刻から１０分が経過している場合（ステップＳ２１１；Ｙｅｓ）、錠前１３は処理を終了する。なお、精算時刻から１０分が経過している場合とは、錠前１３の貸し出し料金の精算が一度完了した後、猶予期間である１０分が経過して、再度、課金が発生している場合である。この場合、利用者Ａが鍵１４を錠前１３にタッチしても錠前１３は解錠されない。
【００８２】
精算時刻から１０分が経過していない場合（ステップＳ２１１；Ｎｏ）、錠前１３は解錠を行う（ステップＳ２１２）。また、錠前１３はＬＥＤ１３６１の点灯色を赤色から青色に変更する（ステップＳ２１３）。以上が錠前１３に鍵１４がタッチされた際に錠前システム１が行う処理である。
【００８３】
利用者Ａが保管庫１１から錠前１３を取り出し、自転車に錠前１３を取り付けて、持ち出し時刻から１０分が経過する前に鍵１４を錠前１３にタッチした場合、錠前１３はステップＳ２０１、Ｓ２０２、Ｓ２０３（Ｙｅｓ）、Ｓ２０４（Ｎｏ）、Ｓ２０６（１）、Ｓ２０７の処理を順次行い、施錠が行われる。
【００８４】
また、利用者Ａが店舗７にて錠前１３の貸し出し料金の精算を完了した後、１０分が経過する前に自転車に取り付けられている錠前１３に鍵１４をタッチした場合、錠前１３はステップＳ２０１、Ｓ２０２、Ｓ２０３（Ｙｅｓ）、Ｓ２０４（Ｎｏ）、Ｓ２０６（２）、Ｓ２０８（Ｙｅｓ）、Ｓ２１０（Ｙｅｓ）、Ｓ２１１（Ｎｏ）、Ｓ２１２、Ｓ２１３の処理を順次行い、解錠が行われる。
【００８５】
図１２は利用者Ａが店舗７にて端末装置１２に表示される精算画面（図９Ａおよび図９Ｃ）に鍵１４をタッチした際に錠前システム１が行う処理のシーケンスを示した図である。図９Ａに示される精算画面の「タッチ」の表示位置に鍵１４がタッチされると、端末装置１２は鍵１４がタッチされたことを検出する（ステップＳ３０１）。続いて、端末装置１２は鍵１４からデータを読み取る（ステップＳ３０２）。
【００８６】
端末装置１２は鍵１４から読み取ったデータに含まれる錠前ＩＤに応じたデータレコードを錠前データベース（図８）から読み出す（ステップＳ３０３）。続いて、端末装置１２は読み出したデータレコードに格納されている持ち出し時刻の１０分後の時刻から現在時刻までの時間長に応じた貸し出し料金を特定する（ステップＳ３０４）。
【００８７】
続いて、端末装置１２は図９Ｂに示されるように、精算画面の利用開始時刻欄に持ち出し時刻の１０分後の時刻を、利用終了時刻欄に現在時刻を、利用料金欄に特定した貸し出し料金を、各々表示する。また、精算画面に貸し出し料金を示すバーコードを表示する（ステップＳ３０５）。
【００８８】
貸し出し料金の精算処理が完了し、店員Ｂが図９Ｂに示される状態の精算画面の所定位置にタッチを行うと、端末装置１２は図９Ｃに示される状態の精算画面を表示する。図９Ｃに示される状態の精算画面の「タッチ」の表示位置に鍵１４がタッチされると、端末装置１２は鍵１４がタッチされたことを検出する（ステップＳ４０１）。続いて、端末装置１２は鍵１４に現在時刻を精算時刻として書き込む（ステップＳ４０２）。以上が、端末装置１２に鍵１４がタッチされた際に錠前システム１が行う処理である。
【００８９】
利用者Ａが上記のように貸し出し料金の精算を完了した後、自転車に取り付けられている錠前１３に鍵１４をタッチした際に錠前システム１が行う処理は既述のとおりである。
【００９０】
図１３は錠前１３が保管庫１１に戻された際に錠前システム１が行う処理のシーケンスを示した図である。錠前１３が保管庫１１の引き出しの所定位置（図２参照）に置かれると、錠前１３は保管庫１１から伝送される電力により充電を開始する。錠前１３は自装置による充電の開始を検出すると（ステップＳ５０１）、メモリ１３９に記憶されている持ち出し時刻を削除する（ステップＳ５０２）。また、錠前１３はスロットに差し込まれている鍵１４に、記録されている精算時刻を削除するための空データの書き込みを行う（ステップＳ５０３）。
【００９１】
また、錠前１３は返却通知を端末装置１２に送信する（ステップＳ５０４）。返却通知には錠前ＩＤが含まれている。端末装置１２は返却通知を受信すると、返却通知に含まれる錠前ＩＤに応じた錠前データベース（図８）のデータレコードの［持ち出し時刻］に空データを書き込む（ステップＳ５０５）。以上が、錠前１３が保管庫１１に戻された際に錠前システム１が行う処理である。
【００９２】
上述した錠前システム１によれば、例えば店舗７の経営者は、充電手段を備えた保管庫１１と、錠前１３と鍵１４の対と、端末装置１２を準備すれば、スペース８に電子錠付き駐輪ラック等の設備の設置工事等を要することなく、低コストでスペース８を駐輪スペースとして貸し出すことができる。また、例えば店舗７の経営者がスペース８を他の目的に利用したい場合、電子錠付き駐輪ラック等の設備の撤去工事等を要することなく、低コストでスペース８の転用が可能である。また、錠前システム１は導入および廃止が低コストで行えるため、臨時の催事場等に導入することもできる。
【００９３】
また、従来の電子錠付き駐輪ラックによる場合、猶予期間は施錠がされないため、利用者は猶予期間中の自転車の盗難を防止するためには、自分の錠前で追加の施錠を行うか、猶予期間の終了まで自転車から離れることができない、という不都合がある。錠前システム１によれば、利用者Ａは猶予期間に錠前１３による施錠と解錠を自由に行うことができるが、鍵１４を持たない他人は錠前１３を解錠することはできないため、利用者Ａは追加の施錠を行うことなく速やかにスペース８から立ち去ることができる。
【００９４】
［変形例］
上述した実施形態は様々に変形することができる。以下にそれらの変形の例を示す。なお、上述した実施形態および以下に示す変形例は適宜組み合わされてもよい。
【００９５】
（１）上述した実施形態において、錠前１３の貸し出し期間の開始タイミングは持ち出し時刻である。貸し出し期間の開始タイミングはこれに限られず、例えば持ち出し時刻から猶予期間（例えば１０分）の経過後のタイミングや、施錠時刻等の他のイベントの発生タイミングを貸し出し期間の開始タイミングとしてもよい。また、上述した実施形態において、錠前１３の貸し出し期間の終了タイミングは鍵１４が端末装置１２にタッチされたタイミングである。貸し出し期間の終了タイミングはこれに限られず、例えば鍵１４が端末装置１２にタッチされたタイミングの１０分前のタイミング等であってもよい。
【００９６】
（２）上述した実施形態において、錠前１３の貸し出し期間の開始タイミングの特定に用いられる時刻データ（上述した実施形態における持ち出し時刻を示すデータ）は、錠前１３から端末装置１２に送信される。これに代えて、錠前１３が鍵１４に錠前１３の貸し出し期間の開始タイミングの特定に用いられる時刻データを書き込む構成が採用されてもよい。この場合、端末装置１２は精算画面に鍵１４がタッチされた際に鍵１４に記録されている時刻データを読み取り、読み取った時刻データが示す時刻に基づき、錠前１３の貸し出し期間の開始タイミングを特定する。
【００９７】
（３）上述した実施形態において、錠前１３は計時ユニット１３８を備え、計時ユニットにより現在時刻や、例えば持ち出し時刻等の基準時刻からの経過時刻を特定することができる。これに代えて、錠前１３が計時ユニット１３８を備えず、時刻データが必要な場合に端末装置１２から時刻データを取得して用いる構成が採用されてもよい。また、時刻データを端末装置１２から取得する代わりに、時刻データに基づく判定結果を端末装置１２から取得してもよい。
【００９８】
例えば、上述した実施形態において、錠前１３は計時ユニット１３８により計時された持ち出し時刻をメモリ１３９に記憶し（図１０のステップＳ１０２）、持ち出し時刻後の猶予期間内であるか否かの判定（図１０のステップＳ１０５および図１１ＢのステップＳ２０８）を、計時ユニット１３８により計時される現在時刻と持ち出し時刻とを比較することにより行う。これに代えて、端末装置１２が、持ち出し時刻から１０分が経過した場合（ステップＳ１０６；Ｙｅｓ）に錠前１３に対し猶予期間終了の通知を送信し、錠前１３が当該通知の受信に応じて、例えばＬＥＤ１３６１の点灯色の変更（ステップＳ１０７）、アラート音の発音開始（ステップＳ１０８）等を行う構成が採用されてもよい。
【００９９】
（４）上述した実施形態において、錠前１３は課金が開始された後、鍵１４がタッチされた際に解錠を行ってもよいか否かの判定を、鍵１４から読み取ったデータに解錠の許可を示す精算時刻を示すデータ（許可データ）が含まれているか否かに基づき行う。錠前１３が許可データを鍵１４から読み取る構成に代えて、錠前１３が端末装置１２から許可データを受信する構成が採用されてもよい。この場合、端末装置１２は精算が完了した時点で許可データを錠前１３に送信する。錠前１３は、端末装置１２から許可データの受信した後、猶予期間の経過前に鍵１４がタッチされた場合、鍵１４から読み取った錠前ＩＤとメモリ１３９に記憶している錠前ＩＤが一致すれば解錠を行う。
【０１００】
（５）上述した実施形態において、錠前１３における充電の停止および開始は錠前１３により検知される。これに代えて、保管庫１１が備える電力供給ユニットが錠前１３における充電の停止および開始を検知する検知手段としての機能を備えてもよい。この場合、保管庫１１は端末装置１２との間で無線または有線によりデータ通信を行う通信ユニット（送信手段の一例）を備え、電力供給ユニットにより検知した充電の停止および開始の通知を、通信ユニットにより端末装置１２に送信する。
【０１０１】
また、錠前１３が保管庫１１から取り出されたことを保管庫１１が検知する場合、当該検知は錠前１３における充電の停止の検知、すなわち、電力供給ユニット（充電手段の一例）から錠前１３が引き離されたことの検知によらなくてもよい。例えば、保管庫１１が錠前１３の有無を検知する光センサ等のセンサを備え、当該センサの検知結果に基づき保管庫１１から錠前１３が取り出されたことを保管庫１１が検知してもよい。
【０１０２】
（６）端末装置１２がキャッシュレジスター９との間でデータ通信を行ってもよい。また、端末装置１２がキャッシュレジスター９に統合されていてもよい。また、端末装置１２が自動料金精算機に統合されていてもよい。この場合、上述した実施形態における店員Ｂの役割は自動料金精算機が行う。
【０１０３】
（７）錠前１３がＧＮＳＳ（Global Navigation Satellite System）等により自装置の位置を計測する位置計測ユニットを備えていてもよい。また、錠前１３が例えば移動電話網等の広域ネットワークに接続可能な広域通信ユニットを備えていてもよい。錠前１３が位置計測ユニットと広域通信ユニットを備える場合、例えば錠前１３が端末装置１２との間で通信できない程に端末装置１２から離れた場所に持ち出された場合、例えば店舗７の経営者は錠前１３から通知される位置データに基づき、錠前１３の現在位置を特定することができる。
【０１０４】
（８）上述した実施形態において、ＮＦＣタグが鍵１４として用いられる。鍵１４は錠前１３および端末装置１２が備えるリーダライタによりデータの読み書きが可能な記録媒体を備える限り、その形態は限定されない。例えば、磁気カード、接触型ＩＣ（Integrated Circuit）カード等が鍵１４として用いられてもよい。
【０１０５】
（９）上述した実施形態において、錠１３１１はソレノイド１３１２により開閉される。これに代えて、鍵１４が記録媒体に加えて物理鍵を備え、鍵１４が備える物理鍵により錠１３１１の開閉が行われてもよい。この場合、錠前１３は物理鍵による錠１３１１の開閉を規制する規制部材を備え、ソレノイド１３１２が当該規制部材を移動させることにより、物理鍵による錠１３１１の開閉の規制を開始および停止する構成が採用される。
【０１０６】
（１０）錠前１３のバッテリ１３２の蓄電残量が不足したり、制御ユニット１３７等が故障したりすれば、錠１３１１がソレノイド１３１２により開閉されなくなる可能性がある。ソレノイド１３１２による錠１３１１の開閉が不可能な場合に備えて、錠１３１１が物理鍵によっても開閉可能な構成が採用されてもよい。この場合、例えば店員Ｂが当該物理鍵を管理する。なお、鍵１４が紛失または故障した場合は、店員Ｂが新たなＮＦＣタグ等の記録媒体に必要なデータを書き込むことにより、錠前１３に対する施錠および解錠を行うことができる。
【０１０７】
（１１）上述した実施形態において、錠前１３は、ＬＥＤ１３６１の点灯色により課金期間中であるか否かを利用者Ａに通知する。また、錠前１３は、スピーカ１３６２によりアラート音を発音して持ち出し時刻後の猶予期間の終了を利用者Ａに通知する。錠前１３が行う通知の内容や態様はこれらに限られない。また、錠前１３の通知の相手は利用者Ａに限られず、例えば店員Ｂに対し通知が行われてもよい。錠前１３が行う通知の内容の例としては、バッテリ１３２の蓄電残量が閾値以下となったこと、無線通信ユニット１３５と端末装置１２の無線通信ＩＦ１０４との間の通信接続が切断されたこと、精算完了後の猶予期間が終了したこと等が挙げられる。
【０１０８】
また、錠前１３が行う通知と同じ目的の通知を、錠前１３に加えて、もしくは代えて、端末装置１２が行ってもよい。例えば、端末装置１２が、無線通信ＩＦ１０４と、錠前１３の無線通信ユニット１３５との間の通信接続が切断されたことを検出し、タッチディスプレイ１０３に通信接続が切断された錠前１３の錠前ＩＤ等を表示してもよい。この場合、店員Ｂは無線通信圏外に持ち出された錠前１３を知ることができる。また、端末装置１２が、バッテリ不足となった錠前１３の錠前ＩＤ等をタッチディスプレイ１０３に表示してもよい。この場合、錠前１３は自装置のバッテリ１３２の蓄電残量が閾値以下となったことを検出し、バッテリ不足の通知（錠前ＩＤを含む）を端末装置１２に送信する。端末装置１２は当該通知に応じて、バッテリ不足となった錠前１３の錠前ＩＤ等をタッチディスプレイ１０３に表示する。その結果、店員Ｂはバッテリ不足となった錠前１３を知ることができる。なお、端末装置１２が店員Ｂ等に通知を行う方法はタッチディスプレイ１０３による表示に限られず、例えばコンピュータ１０がスピーカを備える場合、当該スピーカからの発音により通知が行われてもよい。
【０１０９】
（１２）上述した実施形態において、保管庫１１の引き出しと錠前１３は、例えば錠前番号により対応付けられているものとしたが、保管庫１１の引き出しと錠前１３は必ずしも対応付けられなくてもよい。上述した変形例（５）にかかる保管庫１１は、引き出しから錠前１３が取り出された場合、取り出された錠前１３の錠前ＩＤを端末装置１２に通知する。変形例（５）において、保管庫１１の引き出しと錠前１３が対応付けられていない場合、例えば保管庫１１の引き出しの各々に鍵１４に記録されている錠前ＩＤを読み取るリーダを設け、当該リーダにより読み取った錠前ＩＤにより保管庫１１から持ち出された錠前１３を特定する構成が採用されてもよい。
【０１１０】
（１３）上述した実施形態において、錠１３１１の駆動はソレノイド１３１２により行われる。また、変形例（９）において、物理鍵による錠１３１１の開閉を規制する規制部材の駆動はソレノイド１３１２により行われる。錠１３１１または錠１３１１の開閉を規制する規制部材の駆動は、例えばモータ等の、ソレノイドとは異なる種別の駆動手段により行われてもよい。
【０１１１】
（１４）上述した実施形態において端末装置１２が行う処理の一部を、端末装置１２とデータ通信を行うサーバ装置等の他のデータ処理装置が行う構成が採用されてもよい。例えば、端末装置１２が料金特定手段１２４を有さず、記憶手段１２８に記憶したデータをサーバ装置に送信する。サーバ装置は、端末装置１２からデータを受信する受信手段、端末装置１２の料金特定手段１２４と同様の機能を備える料金特定手段、端末装置１２にデータを送信する送信手段を備える。サーバ装置は、端末装置１２から受信したデータを用いて、料金特定手段により特定した料金を示すデータを端末装置１２に送信する。端末装置１２はサーバ装置から受信した料金を示すデータを用いて、料金の精算のための処理を行う。この場合、上述した実施形態における端末装置１２が、互いにデータ通信を行う端末装置１２とサーバ装置により実現されることになる。なお、この例においては、錠前データベース（図８）に格納されるパスコード等の秘匿されるべきデータがサーバ装置に送信される。秘匿されるべきデータの漏洩を防止するため、端末装置１２とサーバ装置との間で送受信されるデータが暗号化されてもよい。また、端末装置１２が錠前データベース（図８）等のデータを記憶手段１２８に記憶する代わりに、サーバ装置が端末装置１２により用いられるデータを記憶する記憶装置として機能してもよい。
【０１１２】
（１５）上述した実施形態において、錠前１３が保管庫１１に戻された際に錠前システム１が行う処理（図１３）の少なくとも一部は、錠前１３が保管庫１１から持ち出される際に行われてもよい。また、例えば図１３のステップＳ５０２およびＳ５０３における古いデータの削除の処理が省略され、錠前１３が保管庫１１から持ち出される際、またはその後の処理において古いデータが新たなデータにより上書きされる構成が採用されてもよい。
【０１１３】
（１６）上述した実施形態において、錠前１３の計時ユニット１３８は、端末装置１２から受信する時刻データに従い基準時刻を補正することにより端末装置１２の計時手段１２３と時刻の同期を行う。錠前１３と端末装置１２が時刻の同期を行う方法はこれに限られず、例えば、端末装置１２と錠前１３の各々が同一のサーバ装置から時刻データを受信して基準時刻の補正を行うことにより、時刻の同期が取られてもよい。
【符号の説明】
【０１１４】
１…錠前システム、７…店舗、８…スペース、９…キャッシュレジスター、１０…コンピュータ、１１…保管庫、１２…端末装置、１３…錠前、１４…鍵、１０１…メモリ、１０２…プロセッサ、１０３…タッチディスプレイ、１０４…無線通信ＩＦ、１０５…リーダライタ、１２１…受信手段、１２２…読取手段、１２３…計時手段、１２４…料金特定手段、１２５…表示手段、１２６…送信手段、１２７…書込手段、１２８…記憶手段、１３１…電子錠、１３２…バッテリ、１３３…充電器、１３４…リーダライタ、１３５…無線通信ユニット、１３６…通知ユニット、１３７…制御ユニット、１３８…計時ユニット、１３９…メモリ、１３１１…錠、１３１２…ソレノイド、１３６１…ＬＥＤ、１３６２…スピーカ
【図１】
0006533688.tif 000002
【図２】
0006533688.tif 000003
【図３】
0006533688.tif 000004
【図４】
0006533688.tif 000005
【図５】
0006533688.tif 000006
【図６】
0006533688.tif 000007
【図７】
0006533688.tif 000008
【図８】
0006533688.tif 000009
【図９Ａ】
0006533688.tif 000010
【図９Ｂ】
0006533688.tif 000011
【図９Ｃ】
0006533688.tif 000012
【図１０】
0006533688.tif 000013
【図１１Ａ】
0006533688.tif 000014
【図１１Ｂ】
0006533688.tif 000015
【図１２】
0006533688.tif 000016
【図１３】
0006533688.tif 000017